(57)【要約】【課題】確実かつ容易に着脱でき、サイズを柔軟に調整することができ、かつ、履き替え用靴として携行するのに便利な、前後に分離可能な靴を提供する。【解決手段】つま先部を含む前靴部２０とヒール部３２を含む後靴部３０とからなる。前靴部２０には前中敷２３が一体的に設けられ、後靴部３０には後中敷３３が一体的に設けられる。後中敷３３とヒール部３２との間に前中敷２３を収容する収容ポケット３５が設けられている。前靴部２９と後靴部３０は互いに分離可能である。また、前中敷２３の表面が後中敷３３の裏面に接する状態で、前中敷２３の後端が収容ポケット３５に収容される。【選択図】図１
2011115400.tif 000002
【特許請求の範囲】
【請求項１】
つま先部を含む前靴部とヒール部を含む後靴部とからなり、
前記前靴部に一体的に設けられる前中敷と、
前記後靴部に一体的に設けられる後中敷と、
前記後中敷と前記ヒール部との間に前記前中敷を収容する収容ポケットと、を有し、
前記前靴部と前記後靴部は互いに分離可能であり、
前記前中敷の表面が前記後中敷の裏面に接する状態で、前記前中敷の後端が前記収容ポケットに収容されることを特徴とする分離可能な靴。
【請求項２】
前記前靴部と前記後靴部は、面状ファスナにより結合され、
前記面状ファスナは、
前記前中敷の前記表面の前記つま先部近傍に設けられる第１ファスナ部材と、
前記後中敷の前記裏面であって前記第１ファスナ部材と対応する位置に設けられる第２ファスナ部材とからなることを特徴とする請求項１に記載の分離可能な靴。
【請求項３】
前記前靴部と前記後靴部は、前記靴の側面に設けられ、その一部が外側に露出した留め具によって結合されることを特徴とする請求項１に記載の分離可能な靴。
【請求項４】
前記前靴部と前記後靴部は、
ジョイントパーツにより結合され、
前記ジョイントパーツは、一端側が前記前靴部に、他端側が前記後靴部に各々留め具により固定されることを特徴とする請求項１に記載の分離可能な靴。
【請求項５】
前記ヒール部は、前記後靴部に形成されるヒール部着脱路を貫通させることにより交換可能であることを特徴とする請求項１に記載の分離可能な靴。
【請求項６】
前記ヒール部は、
前記後靴部に固定されるヒール本体と、
前記ヒール本体に着脱可能なヒール高さ変更部材とをさらに備えることを特徴とする請求項１に記載の分離可能な靴。
【請求項７】
前記ヒール高さ変更部材は、前記ヒール本体に形成される着脱路を貫通して、前記ヒール本体に着脱自在に設けられることを特徴とする請求項６に記載の分離可能な靴。
【請求項８】
互いに組み合わされることで靴を構成する第１分離体と第２分離体とを備えた靴であって、
前記第１分離体は、足底が載置される第１中敷と、前記第１中敷の一端が結合されるとともに足の踵を収容する踵収容部と、前記踵収容部から延びるヒール部と、を備え、
前記第２分離体は、前記第１中敷と接して配置される第２中敷と、前記第２中敷の一端が結合されるとともに足の甲を収容する甲収容部とを備えるとともに、
前記第１中敷と前記踵収容部との間に、前記第２中敷の一端を収容する中敷収容部を備えたことを特徴とする分離可能な靴。
【発明の詳細な説明】
【技術分野】
【０００１】
本発明は靴に関し、より詳細には、前靴部と後靴部とを互いに分離可能に組み合わせることで構成される分離可能な靴に関する。
【背景技術】
【０００２】
既成靴を購入する際には、長さ（以下、サイズ）、デザイン、カラー等を考慮する。しかしながら、通常、既成靴は標準的な型を用いて作製されるために、例えばサイズが装着者の足に適合しても、幅（ウィズ）が装着者の足に適合するとは限らない。このため、気に入ったデザインやカラーの既成靴があり、自ら最適と思うサイズを選択しても、必ずしも足にフィットするとは限らず、結局、サイズ、ウィズ、デザイン、カラー等のいずれかを犠牲にして靴を購入する場合がある。
そこで、特許文献１では、靴本体を構成すべき前足部パートと後足部パートとを別体として形成し、これらを結合手段により分離可能に結合することを提案している。より具体的には、幅の異なる複数の前足部パート及び／又は後足部パートを形成し、これら幅の異なる複数のパートから任意のパートを選択して前足部パートと後足部パートを結合することにより、１つのサイズで幅が異なる複数種類の靴を製造可能とする、というのが特許文献１による提案である。
また、靴の色を、鞄又は衣装に応じて自在に組合せたいというニーズがある。こうしたニーズを考慮して、特許文献２は、靴の甲を含む前靴部とヒールを含む後靴部が互いに分離可能であり、かつ相互固定手段により前靴部と後靴部との複数の組合せが可能な靴を開示している。上記ニーズは、男性や子どもよりも女性の方が高いため、特許文献２に具体的に開示されている分離可能な靴は、女性用のハイヒールを対象としている。
【先行技術文献】
【特許文献】
【０００３】
【特許文献１】特開２００２−２８００１号公報
【特許文献２】特表２００９−５１２４７１号公報
【発明の概要】
【発明が解決しようとする課題】
【０００４】
特許文献１に記載の靴は、その図２に示されるように、後足底部に設けられた着脱用留め具１２を前足底部に差し込んで前靴の底部と後靴の底部を結合し、さらに、前靴アッパーおよび後靴アッパーそれぞれの内側に備えられた着脱用留め具１１の複数の突起を係止孔に嵌め合わせ、その上さらに結合された靴の内側に中敷を内設しなければならず、着脱作業が面倒である。また、靴のヒールの高さやデザインを外出先などで変える必要がある際に、履き替え用として通常の靴を１足そのまま携行するとかさばって荷物が増えてしまうが、前後が分離した靴を使用していれば前靴又は後靴のみを携行すれば良いので便利である。しかし、特許文献１の靴は、前靴と後靴とさらに別体の中敷の３点の部品から構成され、中敷が後靴と一体化している特許文献２の靴と比較しても部品点数が多く、手軽に携行できる履き替え用の靴としては不向きである。
【０００５】
特許文献２に記載の靴は、前靴の靴底に設けられたベルクロ（登録商標）ストリップ型の結合手段の他に、後靴に一体的に設けられた中敷の土踏まず部分に配置された複数のホック型の押圧結合手段が設けられ、複数の結合手段により前靴と後靴との結合を確実にするものである。しかし、この押圧結合手段はその図１に示されるように中敷の土踏まず部分に位置が固定されているため、前靴と後靴が結合された靴のサイズが一定になる。したがって、靴下やタイツ等の厚さや足のむくみなどによって足のサイズが変化しても、前靴と後靴を結合する位置を任意に調整することができないため、靴のサイズを足に適合できない。また、会社やパーティ会場等で自宅から履いてきた靴を後靴あるいは前靴だけ素早く取り替えたい場合に、結合しなければならない箇所が複数あると時間と手間がかかりすぎる。さらに、前靴と後靴とが重なり合う部分は、前靴の先端から後靴との結合部位である土踏まず部分まであり、靴を履いたときの剛性感や安定性を欠いた構成となっている。
【０００６】
本発明は、以上の課題に基づいてなされたもので、確実かつ容易に着脱でき、サイズを柔軟に調整することができ、かつ、履き替え用靴として携行するのに便利な、前後に分離可能な靴を提供することを目的とする。
【課題を解決するための手段】
【０００７】
人が靴を履いたときに、体重はもっぱら後靴部が備えるヒール部にかかる。この体重により前靴部に一体的に設けられる中敷を押さえれば、前靴部と後靴部との結合を強固に行うことができる。本発明の分離可能な靴は、この視点に基づいてなされたものであり、つま先部を含む前靴部とヒール部を含む後靴部とからなり、前靴部と後靴部は互いに分離可能である。前靴部には前中敷が一体的に設けられ、後靴部には後中敷が一体的に設けられる。そして、後靴部には、後中敷とヒール部との間に前中敷を収容する収容ポケットが形成されており、前中敷の表面が後中敷の裏面に接する状態で、前中敷の後端が収容ポケットに収容される。
つまり、本発明の分離可能な靴は、前靴部に一体的に設けられる前中敷と、後靴部に一体的に設けられる後中敷とを有し、後靴部に設けられた収容ポケットに前中敷を収容することを特徴としている。そして、この収容ポケットは、後靴部に一体的に設けられる後中敷とヒール部との間に存在する。上述の通り、人が靴を履いたときに体重はもっぱら後靴部が備えるヒール部にかかるため、収容ポケットに収容された前中敷、および前中敷の上に存在する後中敷、すなわち重なり合った二つの中敷を同時に踏むことにより、剛性感のある安定した履き心地の良い靴が提供される。また、このように前中敷と後中敷を同時に踏むことで前靴部と後靴部とを固定できるため、本発明の分離可能な靴は、前靴部と後靴部との結合が容易である。さらに、収容ポケットにおける前中敷の位置は任意に調節可能であるため、前靴部と後靴部の結合時に、前中敷の収容位置を任意に設定することにより、靴のサイズ調整も可能となる。例えば、足のむくみなどが生じた際には、前中敷の後端を、収容ポケット内部における後端よりも前方に位置させることで、靴のサイズをその時の足の状態に合わせて微調整することもできる。また、前靴部と後靴部の組み合わせは一通りに限らず、例えば、色違いで組み合わせてもよい。これにより、靴のデザインについての選択肢が広がるという利点がある。
【０００８】
本発明の分離可能な靴において、前靴部と後靴部は面状ファスナにより結合することが好ましい。この面状ファスナとしては、前中敷の表面のつま先部近傍に設けられる第１ファスナ部材と後中敷の裏面であって第１ファスナ部材と対応する位置に設けられる第２ファスナ部材とから構成できる。つまり、収容ポケットに収容された前中敷と前中敷の上に存在する後中敷とを同時に踏むことによる結合に加えて、面状ファスナで前靴部と後靴部を結合することにより、より強固に前靴部と後靴部を結合できる。面状ファスナによれば、面倒な手間もなく、装着に時間もかからず、前靴部と後靴部との結合を強化できる。面状ファスナがつま先部近傍に設けられると、面状ファスナが歩行の際に体重のかかるつま先部のクッションにもなり得る効果もある。
【０００９】
本発明の分離可能な靴において、前靴部と後靴部は、靴の側面に設けられ、その一部が外側に露出した留め具によって結合されることが好ましい。靴の側面に留め具の一部を露出させることにより、結合という留め具本来の機能に加えて、デザインについての付加価値を靴に付与できる。これは、購入者の購買意欲増進につながるとともに、靴の使用者に好みのデザインの靴を履くことにより得られる満足感を与えることができる。また、靴外側面に留め具を配置することにより、留め具の着脱を容易かつ短時間で行うことができる。
【００１０】
本発明の分離可能な靴において、前靴部と後靴部は、ジョイントパーツにより結合することができる。このジョイントパーツは、一端側が前靴部に、他端側が後靴部に各々留め具により固定される。長さの異なるジョイントパーツを用意することによって、靴のサイズ調整を行うことも可能であり、また通気性向上という効果も期待できる。前靴部と後靴部、およびジョイントパーツという３点を任意に組み合わせることで、組み合わせの選択肢が広がり、デザインについてのさらなる付加価値を靴に付与できる。
【００１１】
本発明の分離可能な靴において、ヒール部は、後靴部に形成されるヒール部着脱路を貫通させることにより交換可能とすることができる。靴内部からヒール部を挿入することにより、ヒール部を保持する面積を増やすことができ、結果的に、交換可能なヒール部の保持力を増すことができる。また、ヒール部着脱路を用いることで、ネジ等を用いることなくヒール部の着脱が可能になるため、ヒール部の着脱を短時間、かつ容易に行うことができる。
【００１２】
本発明の分離可能な靴において、ヒール部が、後靴部に固定されるヒール本体とヒール本体に着脱可能なヒール高さ変更部材とをさらに備えることができる。この形態では、後靴部に固定されたヒール本体に、さらに別のヒールを固定することが可能であり、ヒール高さ調節の選択肢が増える。
ヒール高さ変更部材は、ヒール本体に形成される着脱路を貫通してヒール本体に着脱自在に設けてもよい。この形態では、ネジ等を用いずにヒールの高さ調節ができるため、ヒールの高さ調節が容易である。
【００１３】
また、本発明の技術的思想は、互いに組み合わされることで靴を構成する第１分離体と第２分離体とを備えた靴であって、第１分離体は、足底が載置される第１中敷と、第１中敷の一端が結合されるとともに足の踵を収容する踵収容部と、踵収容部から延びるヒール部と、を備え、第２分離体は、第１中敷と接して配置される第２中敷と、第２中敷の一端が結合されるとともに足の甲を収容する甲収容部とを備えるとともに、第１中敷と踵収容部との間に、第２中敷の一端を収容する中敷収容部を備えたことを特徴とする靴として捉えることもできる。
【図面の簡単な説明】
【００１４】
【図１】本発明の第１の実施形態に係る靴を示し、（ａ）は靴の構成図、（ｂ）は前靴部の斜視図、（ｃ）は後靴部の斜視図、（ｄ）（ｅ）は後靴部の断面図である。
【図２】（ａ）は第２実施形態に係る前靴部と後靴部及びホックの構成図、（ｂ）は前靴部の斜視図、（ｃ）は後靴部の斜視図である。
【図３】（ａ）は第３実施形態に係る前靴部と後靴部及びジョイントパーツの構成図、（ｂ）はジョイントパーツの構成図である。
【図４】（ａ）は第４実施形態に係る後靴部の斜視図、（ｂ）は踵収容部の底面に設けられたヒール部着脱路を説明するための概略図である。
【図５】（ａ）はヒール部の一構成例を示す概略側面図、（ｂ）は（ａ）に示したヒール部を用いて組み立てた第４実施形態に係る靴の構成図、（ｃ）はヒール本体の高さが比較的低い他のヒール部を示す概略側面図、（ｄ）は（ｃ）に示したヒール部を用いて組み立てた第４実施形態に係る靴の斜視図である。
【図６】第４実施形態に係る後靴部の断面図を示し、（ａ）は後中敷が定位置にある状態を示す図、（ｂ）は後中敷を変位させてヒール部着脱路を露出させた状態を示す図である。
【図７】第４実施形態に係る後靴部の断面図であり、（ａ）はヒール部を踵収容部の内部から挿入しようとする図、（ｂ）はヒール部を後靴部に取り付けた状態を示す図である。
【図８】第４実施形態に係る靴であって、ヒール部を後靴部に取り付けた後に、前中敷を配置した状態を示す図である。
【図９】第４実施形態に係る靴であって、前中敷を配置した後に、後中敷を定位置に戻した状態を示す図である。
【図１０】第５実施形態に係る靴の後靴部を示す断面図である。
【図１１】第５実施形態に係る靴の後靴部を示す断面図であって、ローヒール仕様を示す。
【発明を実施するための形態】
【００１５】
＜第１の実施形態＞
図１に示される本発明の第１の実施形態に係る靴１は、靴１の土踏まず部Ｓを境に前後に分離された前靴部２０と後靴部３０とから構成される（図１（ａ））。
【００１６】
＜前靴部２０＞
前靴部２０は、足のつま先や甲を収容するつま先収容部（つま先部）２１と、靴底部２２と、つま先収容部（つま先部）２１及び靴底部２２に一体的に設けられた前中敷２３とを備える（図１（ｂ））。
前中敷２３の表面のつま先近傍には、前靴部２０と後靴部３０との着脱の際に用いられる第１ファスナ部材２４が設けられている（図１（ｂ））。第１ファスナ部材２４は、着脱が容易なマジックテープ（登録商標）等の面状ファスナから構成されている。
【００１７】
前靴部２０のつま先収容部２１は任意の素材で構成することができ、樹脂、皮革、布（織物）等、一般の靴のアッパーに使用される素材全般から選択できる。また、つま先収容部２１は図１（ａ）（ｂ）のように前端が閉ざされていても良いし、前端が開口するように形成しても良い。
靴底部２２も任意の素材で構成することができ、樹脂、各種合成ゴム、天然ゴム、皮革等、一般の靴底に使用される素材全般から選択できる。靴底部２２は、前靴部２０と後靴部３０とを組み合わせたときに外部に露出する部分であり、地面と接する部分が所定の厚さを有するように構成しても良い。
前中敷２３も一般の中敷に使用される素材全般から任意に選択できるが、足が滑りにくく、吸水性があり、また、前中敷２３の後端部２５を後靴部３０の収容ポケット３５に挿入しやすい柔軟性を有する素材であることが好ましい。また、収容ポケット３５から前中敷２３を抜けにくくするために、後端部２５の縁部に樹脂等から構成されるすべり止めを設けても良い。
【００１８】
＜後靴部３０＞
後靴部３０は、足の踵を収容する踵収容部３１と、踵収容部３１を保持するヒール部３２と、踵収容部３１に一体的に設けられた後中敷３３とを備える。後中敷３３とヒール部３２との間には、収容ポケット３５が設けられている（図１（ｃ））。前中敷２３の後端部２５が収容ポケット３５の内部に収容され、前靴部２０と後靴部３０が互いに結合されることにより、靴１を構成する。
【００１９】
収容ポケット３５は、踵収容部３１の底面３１ａと、後中敷３３の裏面との間に形成された隙間であって、土踏まず部Ｓに向かって開口している（図１（ｃ）（ｄ））。収容ポケット３５の内部には、前中敷２３の後端部２５が収容ポケット３５の内部の後端３５ａに接触するように挿入されることにより収容される（図１（ｅ））。
収容ポケット３５の奥行きは、後靴部３０の後端に向けて深ければ深いほど、収容ポケット３５に挿入される前中敷２３の面積が広くなるため、靴１を履いたときに体重がかかる面積が広くなり、前靴部２０と後靴部３０とがより確実に一体化され、靴１の剛性感や安定感が向上する。
収容ポケット３５の開口の高さ（底面３１ａから後中敷３３の裏面まで距離）は、前中敷２３の厚さと同じか、それよりもやや大きくするのが好ましい。収容ポケット３５の開口の高さが小さすぎると、前中敷２３の後端部２５を収容ポケット３５へ挿入する作業が困難となる。また、収容ポケット３５の開口の高さが高すぎると、前中敷２３の後端部２５が収容ポケット３５から抜けやすくなり、前靴部２０と後靴部３０との結合状態が不安定になる。
収容ポケット３５の開口の幅は、前中敷２３の後端部２５の最大幅と同じであることが好ましい。収容ポケット３５の開口の幅が後端部２５の最大幅より広くなると、収容ポケット３５から前中敷２３が抜けやすくなり、前靴部２０と後靴部３０との結合状態が不安定になる。収容ポケット３５の開口の幅を後端部２５の最大幅よりもやや狭く構成することもできる。この場合は、挿入された後端部２５が収容ポケット３５の開口の高さ方向に撓む程度で、後端部２５全体が収容ポケット３５に無理なく収容される幅とすることが好ましい。
【００２０】
収容ポケット３５の内部、すなわち、底面３１ａおよび／または後中敷３３の裏面に微小な突起を設け、あるいは底面３１ａと前中敷２３の後端部２５の裏面を摩擦係数の大きい材料で構成することができる。このような工夫により、前中敷２３の後端部２５が収容ポケット３５から抜けにくくなり、前靴部２０と後靴部３０をより確実に結合できる。
【００２１】
収容ポケット３５の内部に前中敷２３を挿入するときに、前中敷２３の後端部２５が収容ポケット３５の内部における後端３５ａに接触するように挿入すると、収容ポケット３５に収容される前中敷２３の面積、体重により押し付けられる面積が最大となり、前靴部２０と後靴部３０との結合状態が最も安定する。よって、このように前中敷２３を収容ポケット３５の内部に挿入して得られる靴１のサイズが、個人が通常履く靴のサイズと合致するように、前靴部２０と後靴部３０のサイズを選択することが好ましい。
ただし、上述の挿入位置は固定されているわけではないので、靴下やタイツの厚さなどに応じて挿入位置を適宜調整し、靴１のサイズを変更することが可能である。
【００２２】
後中敷３３の裏面であって、後中敷３３と前中敷２３とを重ね合せたときに第１ファスナ部材２４と対応する位置に、第２ファスナ部材３４が設けられている（図１（ｃ））。第２ファスナ部材３４は、前靴部２０と後靴部３０とが結合されるときに、第１ファスナ部材２４との対応位置がずれても第１ファスナ部材２４と確実に結合できるように十分な大きさを有している。第２ファスナ部材３４の大きさは、靴１全体のサイズにより任意に選択されるが、具体的には、第２ファスナ部材３４の横幅は４ｃｍ以上、縦幅は１ｃｍ以上であるのが望ましい。
【００２３】
踵収容部３１およびヒール部３２も一般的な素材から任意選択できる。踵収容部３１に一体的に設けられた後中敷３３は、前中敷２３と同じ素材から構成できるが、収容ポケット３５に収容された前中敷２３の後端部２５を体重でしっかりと押さえ付けることができる摩擦力を発揮する素材で構成することが好ましい。
【００２４】
＜前靴部２０と後靴部３０の結合方法＞
次に、前靴部２０と後靴部３０の結合方法について説明する。
互いに分離された前靴部２０と後靴部３０は、前中敷２３の後端部２５を収容ポケット３５内部に挿入して収容し（図１（ｅ））、後中敷３３の裏面を前中敷２３の表面に重ね合わせ、第１ファスナ部材２４に第２ファスナ部材３４を押圧することにより結合される。そして、結合された靴１を履き、後靴部３０にかかる体重により、収容ポケット３５内部に収容された前中敷２３を前中敷２３の上部に存在する後中敷３３を介して踏み、押え付ける。これにより、押え付けられた前中敷２３と一体的に形成された前靴部２０を後靴部３０に対して確実に固定できる。
【００２５】
従来の分離靴は、前靴と後靴との結合をより強固にするために複数の結合手段が設けられ、前靴と後靴の着脱に手間と時間を要していた。これに対し、本発明に係る靴１は、着脱が容易な第１ファスナ部材２４と第２ファスナ部材３４の一対が唯一の固定された結合手段であって、靴１を履き、後靴部３０に自然に体重が載ることで収容ポケット３５に収容された前中敷２３が踏まれ、前靴部２０と後靴部３０とを迅速かつ確実に結合できる。また、靴１を前靴部２０と後靴部３０とに分離するときは、第１ファスナ部材２４から第２ファスナ部材３４を取り外し、前中敷２３を収容ポケット３５から引き抜くだけでよいので、着脱が極めて簡易である。
【００２６】
また、従来の分離靴の結合手段は結合位置が固定されていたため、靴のサイズを任意に調節することができなかった。しかし、本発明の靴１は、前中敷２３の収容位置を前後にスライドさせることで前靴部２０と後靴部３０の結合位置を微調整できる。また、第１ファスナ部材２４と第２ファスナ部材３４は、前述の通り、前靴部２０と後靴部３０の結合位置が微調整されて第１ファスナ部材２４と第２ファスナ部材３４との接触位置がずれても前靴部２０と後靴部３０とを確実に結合するのに充分な大きさを有するように設けられている。これにより、例えば靴下等の厚さや足のむくみによって所望の靴のサイズが変化しても、前中敷２３の後端部２５を収容ポケット３５内部における後端よりも前方に位置させることにより、足にフィットした靴１を容易に構成することが可能となる。また、異なる高さのヒール部３２を備える別の後靴部３０や、異なるデザインや色からなる別の前靴部２０等と交換するときなども、適宜調節しながら容易に結合できる。
【００２７】
＜第２の実施形態＞
第２の実施形態では、留め具を結合の補助とする形態について説明する。なお、以下に説明する靴１は、基本的な構成は上記第一の実施形態で示した靴１と同様であるので、以下においてはその相違点を中心に説明し、上記第一の実施形態の靴１と共通する構成については、同符号を付してその説明を省略する。
前靴部２０と後靴部３０の結合は、前靴部２０のつま先収容部２１両端縁部に設けられたホック４１と、後靴部３０の踵収容部３１両端縁部に設けられたホック４２を結合することによっても可能である（図２（ａ））。
【００２８】
前靴部２０と後靴部３０は、互いに対向した両端縁部を着脱可能に結合するための結合手段として互いに着脱可能なオス型のホック４１とメス型のホック４２を有する。このホック４１とホック４２は結合すべき前靴部２０と後靴部３０の両端においてそれぞれ対向した両端縁部に各々設けられ、ホック４１は突起を有し、一方、ホック４２は係止孔を有している。そして、ホック４１の突起をホック４２の係止孔に嵌挿して係止させることにより、前靴部２０と後靴部３０の結合を補助する。
【００２９】
ホック４１，ホック４２の素材は任意であり、例えば金属や樹脂で構成できる。また、これらホック４１とホック４２の前靴部２０と後靴部３０に対する固定方法も任意であり、例えば、縫合や接着によって固定できる。ホック４１，ホック４２は前靴部２０と後靴部３０の素材に応じて適当な構造、形状のものを用いることができるため、ホック４１，ホック４２の一部を前靴部２０と後靴部３０の外側に露出させるように配置することで、靴にデザイン性を持たせることができるという利点もある。
【００３０】
＜第３の実施形態＞
第３の実施形態では、ジョイントパーツを結合の補助とする形態について説明する。なお、以下に説明する靴１は、基本的な構成は上記第１の実施形態および第２の実施形態で示した靴１と同様であるので、以下においてはその相違点を中心に説明し、上記第１の実施形態および第２の実施形態の靴１と共通する構成については、同符号を付してその説明を省略する。
【００３１】
ホック４１,４２は、ジョイントパーツ４５,４６を介して前靴部２０と後靴部３０を結合できる。つまり、ジョイントパーツ４５,４６の両端をホック４１，４２で前靴部２０，後靴部３０の各々に固定することで、前靴部２０と後靴部３０の結合の補助を担う。
ジョイントパーツ４５,４６には、前靴部２０に結合される端縁部にホック４２が設けられ、後靴部３０に結合される端縁部にホック４１が設けられる。ジョイントパーツ４５,４６は靴の幅方向の両側面にそれぞれ配置結合される。（図３（ａ）,（ｂ））
ジョイントパーツ４５,４６を介して前靴部２０と後靴部３０を結合させることにより、靴のデザインの選択肢を増やすことができる。
ジョイントパーツ４５,４６は、前中敷２３の後端部２５を後靴部３０の収容ポケット３５に挿入する際、前中敷２３の挿入位置を位置決めする効果を奏するものであり、靴サイズの指標にできる。ジョイントパーツ４５,４６の素材は任意であり、例えば、皮革、樹脂、各種合成ゴム、天然ゴム、布（織物）等、一般の靴に使用される素材全般から任意に選択して採用できる。
【００３２】
＜第４の実施形態＞
第４の実施形態では、ヒールの高さ変更が可能な靴１００について図４および図５を用いて説明する。
靴１００は、前靴部２０と後靴部３０Ａとを備え、両者を互いに結合することにより、靴１００が構成される。前靴部２０の構成は、第１の実施形態の箇所で詳述した通りなので、ここでの説明は割愛する。
【００３３】
まず、図４（ａ）、（ｂ）を用いて、後靴部３０Ａの構成を説明する。
図４（ａ）は後靴部３０Ａの斜視図である。
後靴部３０Ａは、足の踵を収容する踵収容部３１０と、踵収容部３１０を支持するヒール部５０と、踵収容部３１０に一体的に設けられた後中敷３３０と、後中敷３３０とヒール部５０との間に設けられた収容ポケット３５０を備える。なお、図４（ａ）では、後中敷３３０に設けられた第２ファスナ部材３４の記載は省略している。
後中敷３３０は、皮や布など、弾力性のある材料で構成されており、後中敷３３０の後端は踵収容部３１０に固定されているが、その他の部分は踵収容部３１０に対して移動可能なように構成される。
なお、第４の実施形態では、図４（ａ）に示すように、後中敷３３０が定位置にある場合に、後中敷３３０とヒール部５０との間に形成される領域を、収容ポケット３５０という。後中敷３３０の一部が踵収容部３１０に対して移動した場合には、上記領域に対応する領域を、収容ポケット３５０という。
ヒール部５０は、後中敷３３０が設けられた踵収容部３１０とは別体で構成され、踵収容部３１０に対して着脱可能に構成される。このため、図４（ｂ）に示すように、踵収容部３１０の底面３１０ａには貫通孔が形成されており、この貫通孔がヒール部着脱路３１０ｂとして機能する。なお、図４（ｂ）では、後中敷３３０の記載は省略している。
【００３４】
図５（ａ）は、ヒール部５０の一構成例を示す概略側面図である。
ヒール部５０は、人が靴１００を履いたときに地面に接地する接地部分を含むヒール本体５０ａと、ヒール本体５０ａの上部（接地部分とは異なる側）に設けられるベース部５０ｂとを備える。
女性用のハイヒールの場合、ヒール本体５０ａは、通常、図５（ａ）に示すように上部から接地部分に向かって先細りとなる形態を有する。このため、ヒール本体５０ａの上部端部は、他の部分に比較して径が大きい拡径部５０ｃを構成する。ベース部５０ｂの面積は拡径部５０ｃの面積よりも大きく、ベース部５０ｂは、その一端が、拡径部５０ｃの上面をすべて覆うようにして、ヒール本体５０ａに結合される。靴１００を装着した際の安定性を考慮すると、ベース部５０ｂはヒール本体５０ａと一体形成されていることが好ましい。
【００３５】
ベース部５０ｂにおいてヒール本体５０ａの拡径部５０ｃと接する部分は、他の部分よりも肉厚とすることが好ましい。人が靴１００を履いたときには踵に体重がかかるが、踵に対応する部分を肉厚とすることにより、ベース部５０ｂの強度を向上させることができる。
一方、ベース部５０ｂにおいて、ヒール本体５０ａの拡径部５０ｃと接しない部分は、ヒール部５０を後靴部３０Ａに挿入した際に、靴１００の土踏まず部Ｓおよびその近辺に対応する位置に配置されることになる。ヒール本体５０ａの拡径部５０ｃと接しない部分は、できるだけ厚さが薄い方が靴１００の装着感がよいため、ベース部５０ｂはその長手方向の他端に向かって、徐々に厚さが薄くなる構成とすることが好ましい。
【００３６】
上述の通り、ヒール部５０の着脱は、ヒール部着脱路３１０ｂ（図４（ｂ））を介して行われる。このため、ヒール部着脱路３１０ｂの形状および寸法は、拡径部５０ｃの形状および寸法に適合するように設定される。
【００３７】
次に、前靴部２０、後靴部３０Ａ、およびヒール部５０を組み合わせて靴１００を組立てる際の手順について、図６〜図９を参照して説明する。なお、図７（ａ）、（ｂ）では、後中敷３３０の記載を省略している。
図６（ａ）は、後靴部３０Ａの断面図である。
前靴部２０、後靴部３０Ａ、およびヒール部５０を組み合わせる際には、まず、踵収容部３１０に固定された後中敷３３０の後端部を中心として、図４（ａ）中の矢印Ａに示す方向、すなわち後靴部３０Ａの後端の上方に向かって、後中敷３３０の前端を引き上げることにより後中敷３３０を回転させる。これにより、図６（ｂ）に示すように、踵収容部３１０の底面３１０ａに設けられたヒール部着脱路３１０ｂ（図４（ｂ））、つまり貫通孔を、露出させる。
次に、図７（ａ）に示すように、ヒール部５０を、踵収容部３１０の内部から挿入する。具体的には、接地部分を含むヒール本体５０ａが、ヒール部着脱路３１０ｂを貫通するようにして、ヒール部５０を挿入する。ここで、ヒール部５０の一部を構成するベース部５０ｂは、ヒール部着脱路３１０ｂを通過できない寸法および形状に形成されている。このため、ヒール部５０の挿入が完了すると、図７（ｂ）に示すように、ベース部５０ｂは踵収容部３１０の内部に位置し、ヒール本体５０ａは踵収容部３１０の外部に位置することになる。
【００３８】
続いて、図８に示すように、前靴部２０に設けられた前中敷２３の後端部２５（図１（ｂ））が、収容ポケット３５０の内部に位置するようにして、前靴部２０を後靴部３０Ａに取り付ける。これにより、ベース部５０ｂの表面と、前中敷２３の裏面が接することになる。ベース部５０ｂの表面または／および前中敷２３（図１（ｂ））の裏面の少なくとも一部に、滑り止め防止用の工夫を設けることで、ヒール部５０のぐらつきを防止し、靴１００の装着感を向上させることができる。こうした工夫としては、例えば前中敷２３（図１（ｂ））の裏面に微小な突起を設けること、前中敷２３の少なくとも裏面または／およびベース部５０ｂ（図５（ａ））の表面を摩擦係数の高い材料で構成すること、などが挙げられる。
最後に、図９に示すように、踵収容部３１０に一体的に設けられた後中敷３３０（図４（ａ））を、元の位置に戻すことで、装着可能な靴１００が構成されることになる。前靴部２０、後靴部３０Ａ、およびヒール部５０を組み合わせた状態の靴１００の構成図を図５（ｂ）に示す。
以上説明の通り、第４の実施形態では、靴１００の内部からヒール部５０を挿入する。これにより、後靴部３０Ａがヒール部５０を保持する面積を増やすことができ、結果的に、交換可能なヒール部５０を後靴部３０がしっかりと保持できる。また、ヒール部着脱路３１０ｂを用いることで、ネジ等を用いずにヒール部５０の着脱を行うことも可能となるため、ヒール部５０の着脱を短時間、かつ容易に行うことができる。
【００３９】
なお、ベース部５０ｂ（図５（ａ））の表面と、前中敷２３（図１（ｂ））の裏面が接する場合を例にして、靴１００の組立手順を示したが、この手順は一例である。例えば、ベース部５０ｂの裏面と、前中敷２３の表面が接するようにして、靴１００を組み立ててもよい。この場合には、前中敷２３にヒール部着脱路３１０ｂの形状および寸法に適合した貫通孔を予め形成しておき、前中敷２３の後端部２５を収容ポケット３５０の内部に挿入した後に、ヒール部５０を、踵収容部３１０の内部から挿入すればよい。
【００４０】
また、図５（ａ）、（ｂ）に示したヒール部５０は、ヒール本体５０ａの高さが比較的高い女性用ハイヒールを対象としたものであったが、上述の通り、第４の実施形態に係る靴１００では、ヒール部５０は後靴部３０Ａに対して着脱可能な構成となっている。
図５（ｃ）に示すように、ヒール本体５０ａ１の高さが比較的低いヒール部５０Ａを、上述した手順で取り付けることにより、靴本体（前靴部２０および後靴部３０Ａ）は同じであるが、高さの低い靴にできる。ヒール部５０Ａを用いて組み立てた靴１００の斜視図を図５（ｄ）に示す。
なお、ヒール本体５０ａ１の高さが比較的低いヒール部５０Ａについては、ヒール本体５０ａ１の上部端部は、ヒール本体５０ａ１における他の部分と同程度の径を有するものにできる。つまり、ヒール本体５０ａ１は拡径部を有しない構成とすることができ、この場合には、ベース部５０ｂ１の厚さも長手方向にほぼ均一なものにできる。
【００４１】
ここで、ベース部５０ｂおよびベース部５０ｂ１は、図５（ａ）〜（ｄ）に示したように、長手方向の長さが靴本体の長さよりも短く構成されている。例えば、ヒール部５０Ａを取り付けたローヒールの状態で目的地まで移動し、目的地ではヒール部５０を取り付けたハイヒールを装着したい場合があるが、ベース部５０ｂの寸法をコンパクトにすることで、ヒール部５０を携帯しやすくなる。また、高さの異なる複数のヒール部５０（５０Ａ）を用意することで、靴本体は同じでありながら、高さの異なる靴１００にできる。よって、高さの異なる一体型の靴を複数保管する場合と比較して、保管時の収納スペースが少なくてもよいという利点もある。
【００４２】
＜第５の実施形態＞
以上の第４の実施形態はヒール部３２の全体を着脱可能にしているが、本発明は、後靴部３０Ｂに固定される第１ヒール部５０Ｂに加えて、第１ヒール部５０Ｂを貫通して着脱される第２ヒール部５０Ｃを備える。図１０を参照してこの例を説明する。
【００４３】
後靴部３０Ｂは、踵収容部３１内に、第２ヒール部５０Ｃが貫通する着脱孔３７が形成される。着脱孔３７は、下側から、第１ヒール部５０Ｂ、踵収容部３１の底面３１ａ、前中敷２３及び後中敷３３を貫通して形成されている。着脱孔３７は、上端から下端に向けて径が小さくなる円錐台形をなしている。
【００４４】
第２ヒール部５０Ｃは、着脱孔３７に対応する側面を備えた円錐台形をなしている。第２ヒール部５０Ｃの上端には、支持片５０ｃ１が固定されている。支持片５０ｃ１は、第２ヒール部５０Ｃが後靴部３０Ｂに装着されている際に、後中敷３３の後端側に形成される凹部３３ａに嵌合されて、第２ヒール部５０Ｃを後靴部３０Ｂに支持され易くする。
【００４５】
後靴部３０Ｂは、ハイヒールとして用いる場合には、第２ヒール部５０Ｃを着脱孔３７に挿入する。一方、ローヒールとして用いる場合には、第２ヒール部５０Ｃを取り外す。着脱孔３７をそのままにして用いることもできるが、図１１に示すように、第３ヒール部５０Ｄを着脱孔３７に挿入して栓をすることもできる。
【００４６】
以上の第５の実施形態によれば、着脱自在な第２ヒール部５０Ｃを一つ用意するだけで、二つの異なるヒール高さの靴を実現できる。
【００４７】
これ以外にも、本発明の主旨を逸脱しない限り、上記実施の形態で挙げた構成を取捨選択したり、他の構成に適宜変更することが可能である。
【符号の説明】
【００４８】
１，１００…靴
２０…前靴部
２１…つま先収容部（つま先部）、２２…靴底部、２３…前中敷、２４…第１ファスナ部材、２５…後端部
３０，３０Ａ…後靴部
３１，３１０…踵収容部、３１ａ，３１０ａ…底面、３１０ｂ…ヒール部着脱路、３２…ヒール部、３３，３３０…後中敷、３３ａ…凹部、３４…第２ファスナ部材、３５，３５０…収容ポケット
４１，４２…ホック、４５，４６…ジョイントパーツ
５０，５０Ａ，５０Ｂ，５０Ｃ…ヒール部
５０ａ，５０ａ１…ヒール本体、５０ｃ…拡径部、５０ｂ，５０ｂ１…ベース部、５０ｃ１…支持片
【図１】
2011115400.tif 000003
【図２】
2011115400.tif 000004
【図３】
2011115400.tif 000005
【図４】
2011115400.tif 000006
【図５】
2011115400.tif 000007
【図６】
2011115400.tif 000008
【図７】
2011115400.tif 000009
【図８】
2011115400.tif 000010
【図９】
2011115400.tif 000011
【図１０】
2011115400.tif 000012
【図１１】
2011115400.tif 000013